(57)【要約】      （修正有）【課題】液体を定量吐出させるディスペンサの汲上チューブに後事的に美観的処理を加えることができるディスペンサ用付属具を提供する。【解決手段】ディスペンサＤが使用される容器の首部を通過可能な大きさのブロック体に形成され外部に複数のアルファベット文字を並列させたメッセージ性を有する装飾が施された付属具本体１と、付属具本体１の上下方向に貫通された割溝形に形成されるように設けられディスペンサＤの汲上チューブＤｂに係止される取付溝２とからなる。【選択図】図１
0003185509.tif 000002
【実用新案登録請求の範囲】
【請求項１】
ディスペンサが使用される容器の首部を通過可能な大きさのブロック体に形成され外部に装飾が施された付属具本体と、付属具本体の上下方向に設けられディスペンサの汲上チューブに係止される取付溝とからなるディスペンサ用付属具。
【請求項２】
請求項１のディスペンサ用付属具において、付属具本体は装飾が複数の文字を並列させたメッセージ性を有するものであることを特徴とするディスペンサ用付属具。
【請求項３】
請求項１または２のディスペンサ用付属具において、付属具本体は上下方向で複数に分割されていることを特徴とするディスペンサ用付属具。
【考案の詳細な説明】
【技術分野】
【０００１】  本考案は、液体を定量吐出させるディスペンサに取付けられるディスペンサ用付属具に係る技術分野に属する。
【背景技術】
【０００２】  一般的に、ディスペンサは、吐出させる定量の液体を加圧するポンプ機構等を内蔵した本体部と、本体部に接続されて容器に貯溜されている液体を汲上げる汲上チューブとからなる。そして、本体部が容器の首部に装着され、汲上チューブが容器の首部付近から底部まで配設されている。従って、容器が透明，半透明の場合には、汲上チューブが容器の内部に透視されてしまい美観上好ましくない状態になってしまうことになる。このため、汲上チューブに何らかの美観的処理を加える技術の開発が要望されている。【０００３】  従来、ディスペンサの汲上チューブに美観的処理を加えることを指向した技術としては、例えば、特許文献１に記載のものが知られている。【０００４】  特許文献１には、ディスペンサの汲上チューブを本体部の操作によって回転可能に構成して、汲上チューブの中途部に人形からなる装飾物を固定してなる技術が記載されている。【０００５】  特許文献１に係る技術は、ディスペンサの本体部の操作に応じて装飾物を玩具のように回転動作させることで、汲上チューブに美観的処理を加えたものである。
【先行技術文献】
【特許文献】
【０００６】
【特許文献１】  特許第４０４７８３０号公報
【考案の概要】
【考案が解決しようとする課題】
【０００７】  特許文献１に係るディスペンサ用付属具では、汲上チューブに装飾物が既に固定されてしまっているため、後事的に美観的処理を加えることができないという問題点がある。【０００８】  本考案は、このような問題点を考慮してなされたもので、ディスペンサの汲上チューブに後事的に美観的処理を加えることのできるディスペンサ用付属具を提供することを課題とする。
【課題を解決するための手段】
【０００９】  前述の課題を解決するため、本考案に係るディスペンサ用付属具は、実用新案登録請求の範囲の各請求項に記載の手段を採用する。【００１０】  即ち、請求項１では、ディスペンサが使用される容器の首部を通過可能な大きさのブロック体に形成され外部に装飾が施された付属具本体と、付属具本体の上下方向に設けられディスペンサの汲上チューブに係止される取付溝とからなる。【００１１】  この手段では、ディスペンサの汲上チューブに対して付属具本体が取付溝によって着脱可能とされることで、必要時にディスペンサの汲上チューブに付属具本体を取付けることができるようになる。【００１２】  また、請求項２では、請求項１のディスペンサ用付属具において、付属具本体は装飾が複数の文字を並列させたメッセージ性を有するものであることを特徴とする。【００１３】  この手段では、付属具本体の装飾がメッセージ性を有するものであることで、美観的処理が質的に向上する。【００１４】  また、請求項３では、請求項１または２のディスペンサ用付属具において、付属具本体は上下方向で複数に分割されていることを特徴とする。【００１５】  この手段では、付属具本体が分割されることで、各分割単位に別個の装飾を施すことができる。
【考案の効果】
【００１６】  本考案に係るディスペンサ用付属具は、ディスペンサの汲上チューブに対して付属具本体が取付溝によって着脱可能とされることで、必要時にディスペンサの汲上チューブに付属具本体を取付けることができるようになるため、ディスペンサの汲上チューブに後事的に美観的処理を加えることができる効果がある。【００１７】  さらに、請求項２として、付属具本体の装飾がメッセージ性を有するものであることで、美観的処理が質的に向上するため、ディスペンサの汲上チューブに高度の美観的処理を加えることができる効果がある。【００１８】  さらに、請求項３として、付属具本体が分割されることで、各分割単位に別個の装飾を施すことができるため、ディスペンサの汲上チューブに高度の美観的処理を加えることができる効果がある。
【図面の簡単な説明】
【００１９】
【図１】  本考案に係るディスペンサ用付属具を実施するための形態の第１例の斜視図である。
【図２】  図１の要部の縦断面図である。
【図３】  図１の使用状態の正面図である。
【図４】  本考案に係るディスペンサ用付属具を実施するための形態の第２例の斜視図である。
【図５】  本考案に係るディスペンサ用付属具を実施するための形態の第３例の斜視図である。
【考案を実施するための形態】
【００２０】  以下、本考案に係るディスペンサ用付属具を実施するための形態を図面に基づいて説明する。
【００２１】  図１〜図３は、本考案に係るディスペンサ用付属具を実施するための形態の第１例を示すものである。
【００２２】  第１例では、香水瓶のような比較的小型の透明な容器Ｂに使用されるディスペンサＤに適用されるものを示してある。
【００２３】  なお、ディスペンサＤは、ミスト状に吐出させる定量の液体を加圧するポンプ機構等を内蔵した本体部Ｄａと、本体部Ｄａに接続されて容器Ｂに貯溜されている液体を汲上げる汲上チューブＤｂとからなる。このディスペンサＤは、本体部Ｄａが容器Ｂの首部Ｂａに装着され、汲上チューブＤｂが容器Ｂの首部Ｂａ付近から底部Ｂｂまで配設されている。
【００２４】  第１例は、付属具本体１と取付溝２とで構成されている。
【００２５】  付属具本体１は、容器Ｂの首部Ｂａを通過可能な大きさの直方体形のブロック体に形成されている。即ち、図３に示すように、容器Ｂの首部Ｂａの内径ａよりも付属具本体１の横幅ｂが小さくなるように設定されている。付属具本体１の外部には、アルファベット文字「Ｌ」，「Ｏ」，「Ｖ」，「Ｅ」が立体的に並列されて、「ＬＯＶＥ」を意味するメッセージ性を有する装飾が施されている。
【００２６】  取付溝２は、付属具本体１の装飾に影響を与えない面（アルファベット文字の底側の面）から堀込まれ上下方向に貫通された割溝形に形成されている。この取付溝２は、図２に示すように、ディスペンサＤの汲上チューブＢｂに圧接して係止される大きさ（幅）に設定されている。
【００２７】  第１例によると、複雑な構造ではないため、合成樹脂材の成形等によって安価に製造することができる。
【００２８】  そして、付属具本体１が取付溝２によってディスペンサＤの汲上チューブＢｂに対して着脱可能であるため、必要時にディスペンサＤの汲上チューブＢｂに付属具本体１を取付けることができる。ディスペンサＤの汲上チューブＢｂに取付けられた付属具本体１は、容器Ｂの首部Ｂａを通過可能であるから、汲上チューブＢｂの容器Ｂの内部への配設に伴って、容器Ｂの内部へ配置されることになる。容器Ｂの内部へ配置された付属具本体１は、透明な容器Ｂの外部から透視され「ＬＯＶＥ」を意味するメッセージ性を有する装飾が視認されることになる。従って、ディスペンサＤの汲上チューブＤｂに後事的に美観的処理を加えることができる。
【００２９】  付属具本体１に施されたアルファベット文字からなる装飾は、単なる美麗処理ではなくメッセージ性を有しているため、ディスペンサＤの汲上チューブＤｂに高度の美観的処理を加えることになる。
【００３０】  なお、ディスペンサＤを付属具本体１とともに容器Ｂから引抜いて、簡単に別の付属具本体１と交換することも可能である。
【００３１】  図４は、本考案に係るディスペンサ用付属具を実施するための形態の第２例を示すものである。
【００３２】  第２例は、第１例の取付溝２を付属具本体１の上下方向に貫通された貫通孔形としてある。
【００３３】  第２例では、取付溝２にディスペンサＤの汲上チューブＤｂを挿通して係止させることになる。
【００３４】  第２例によると、ディスペンサＤの汲上チューブＤｂの挿通によって取付溝２が被覆されてしまい、取付溝２が付属具本体１の外部に露出されないため、外観体裁が良好になる。
【００３５】  図５は、本考案に係るディスペンサ用付属具を実施するための形態の第３例を示すものである。
【００３６】  第３例は、付属具本体１を複数に分割され、分割単位の形状が異なるようにしてある。
【００３７】  第３例によると、付属具本体１の分割単位をディスペンサＤの汲上チューブＤｂに数珠つなぎ状に並列させて係止させることで、付属具本体１の全体で高度かつ複雑な美観的処理を構成することが可能になる。
【産業上の利用可能性】
【００３８】  本考案に係るディスペンサ用付属具は、小型の容器から大型の容器に使用されるディスペンサに適用される。そして、ディスペンサの液体の吐出形態がミスト状以外でも適用され、ディスペンサの駆動が手動であるか電動であるかにかかわらず適用が可能である。【００３８】  本考案の付属具本体に構成される装飾については、単なる美麗処理のみではなく具体的に次のようなものとしても実現される。
（１）香水等のブランド表示（文字，図形等）
（２）プレゼント品の名入れ（メッセージ，送主の名前，送先の名前）
（３）容器の内容物の表示（シャンプー，リンスの区別）
【符号の説明】
【００３９】  １            付属具本体
２            取付溝
Ｂ            容器
Ｄ            ディスペンサ
Ｄｂ          汲上チューブＤｂ
【図１】
0003185509.tif 000003
【図２】
0003185509.tif 000004
【図３】
0003185509.tif 000005
【図４】
0003185509.tif 000006
【図５】
0003185509.tif 000007